(57)【要約】【課題】エスカレータ非常停止装置において、緊急事態発生時の即時対応性及び操作性を向上できるとともに、いたずら防止効果を向上できるようにすることである。【解決手段】非常停止装置３４は、エスカレータの踏段左右両側の少なくとも片側に設けた欄干２６下部のスカートガード３１壁部に形成する、足先を挿入可能な足先挿入口４４と、押し下げ動作スイッチ４８と、コントローラとを備える。押し下げ動作スイッチ４８は、スカートガード３１壁部の裏側で、足先挿入口４４よりも奥側に設けて、押し下げにより停止指示信号をコントローラへ出力する。コントローラは、押し下げ動作スイッチ４８から停止指示信号が入力されることによりエスカレータの駆動を停止させる駆動停止部を有する。【選択図】図５
2012153524.tif 000002
【特許請求の範囲】
【請求項１】
エスカレータの踏段左右両側のうち、少なくとも片側に設けられた欄干下部のスカートガード壁部に形成され、足先を挿入可能な足先挿入口と、
スカートガード壁部の裏側で、足先挿入口よりも奥側に設けられ、押し下げにより停止指示信号を出力する押し下げ動作スイッチと、
押し下げ動作スイッチから停止指示信号が入力されることによりエスカレータの駆動を停止させる駆動停止手段とを備えるエスカレータ非常停止装置。
【請求項２】
請求項１に記載のエスカレータ非常停止装置において、
足先挿入口の開口部を塞ぐカバーであって、足先挿入口の周辺部に揺動可能またはスカートガード裏側への脱落可能に支持されたカバーを備えることを特徴とするエスカレータ非常停止装置。
【請求項３】
請求項２に記載のエスカレータ非常停止装置において、
カバーは、足先挿入口の上端部に、上端部を中心とする揺動可能に支持されていることを特徴とするエスカレータ非常停止装置。
【請求項４】
請求項１から請求項３のいずれか１に記載のエスカレータ非常停止装置において、
足先挿入口の下側に押し下げ動作スイッチが設けられ、
押し下げ動作スイッチは、スカートガード壁部の裏側の裏側空間内で上下変位可能に設けられた変位部材と、変位部材に押し上げる方向の付勢力を付与する付勢部材と、付勢部材の付勢力に抗して変位部材を押し下げた場合に押圧され、停止指示信号を出力するスイッチ本体とを含むことを特徴とするエスカレータ非常停止装置。
【発明の詳細な説明】
【技術分野】
【０００１】
本発明は、例えばエスカレータの利用者等のエスカレータ周辺にいる人が異常の発生を発見した場合等の緊急事態の発生時にその緊急事態の発見者により操作可能とし、操作によりエスカレータの駆動を停止させるエスカレータ非常停止装置に関する。
【背景技術】
【０００２】
従来から、エスカレータの周囲には、緊急事態の発生時にエスカレータの駆動を停止させるための非常停止装置が設けられている。この非常停止装置として、従来から一般的に、非常停止ボタンが設けられている。非常停止ボタンは、例えばエスカレータの踏段左右両側のうち、少なくとも片側に設けられた欄干下部で、乗降口周辺部のスカートガード壁部に設けられた筒部と、筒部の先端側に設けられた蓋付のキャップと、筒部内でキャップの奥側に設けられた押しボタンスイッチとにより構成されている。例えば、老人や子供のエスカレータ周辺部での転倒が生じた場合等の緊急事態の発生時には、その緊急事態の発見者が手指でキャップの先端部に取り付けられた樹脂等の蓋を押し込んで内側に外しつつ押しボタンスイッチを押して動作させる。押しボタンスイッチが押されると、エスカレータを駆動する駆動装置が停止されて、エスカレータが緊急停止される。なお、本発明に関連する先行技術文献として、特許文献１がある。
【先行技術文献】
【特許文献】
【０００３】
【特許文献１】特開２００９−２７４８２０号公報
【発明の概要】
【発明が解決しようとする課題】
【０００４】
ただし、従来の非常停止装置である非常停止ボタンは、人が手指で操作可能とすることを考えられているため、小型のものが、欄干下部のスカートガードに設けられているので、即時対応性に改良の余地がある。すなわち、非常停止ボタンは、人が手指で操作可能な小さいものであるのに人の足下付近の低い位置に設けられているので、人がかがんで操作しなければならず、特に年配者にとっては操作が困難となる可能性がある。このため、緊急事態発生時の即時対応性及び操作性に改良の余地がある。
【０００５】
また、非常停止ボタンが小さいため、人がその位置に気がつきにくい。また、非常停止ボタン操作者の動作が周囲の人から見えにくいので、幼児等によりいたずらが発生した場合にそれを発見しにくいという不都合があり、いたずら防止の面から改良の余地がある。
【０００６】
これに対して、特許文献１には、エレベータシステムであって、エレベータかごの壁面の下部の幅木部と、幅木部に設けられる窪みに取り付けられ、ユーザの足先の挿入操作を検出する検出部と、検出部によって検出された足先の挿入操作に基づいてかごの行き先階を設定して表示する表示部とを備えるエレベータシステムが記載されている。ただし、このような特許文献１には、エスカレータの非常停止装置において、緊急事態発生時の即時対応性及び操作性を向上できる手段を開示するものではない。
【０００７】
本発明の目的は、エスカレータ非常停止装置において、緊急事態発生時の即時対応性及び操作性を向上できるとともに、いたずら防止効果を向上できるようにすることである。
【課題を解決するための手段】
【０００８】
本発明に係るエスカレータ非常停止装置は、エスカレータの踏段左右両側のうち、少なくとも片側に設けられた欄干下部のスカートガード壁部に形成され、足先を挿入可能な足先挿入口と、スカートガード壁部の裏側で、足先挿入口よりも奥側に設けられ、押し下げにより停止指示信号を出力する押し下げ動作スイッチと、押し下げ動作スイッチから停止指示信号が入力されることによりエスカレータの駆動を停止させる駆動停止手段とを備えるエスカレータ非常停止装置である。
【０００９】
本発明に係るエスカレータ非常停止装置において、好ましくは、足先挿入口の開口部を塞ぐカバーであって、足先挿入口の周辺部に揺動可能またはスカートガード裏側への脱落可能に支持されたカバーを備える。
【００１０】
本発明に係るエスカレータ非常停止装置において、好ましくは、カバーは、足先挿入口の上端部に、上端部を中心とする揺動可能に支持されている。
【００１１】
本発明に係るエスカレータ非常停止装置において、好ましくは、足先挿入口の下側に押し下げ動作スイッチが設けられ、押し下げ動作スイッチは、スカートガード壁部の裏側の裏側空間内で上下変位可能に設けられた変位部材と、変位部材に押し上げる方向の付勢力を付与する付勢部材と、付勢部材の付勢力に抗して変位部材を押し下げた場合に押圧され、停止指示信号を出力するスイッチ本体とを含む。
【発明の効果】
【００１２】
本発明に係るエスカレータ非常停止装置によれば、緊急事態発生時に、その緊急事態の発見者が足先挿入口に足先を挿入し、その挿入した足先で押し下げ動作スイッチを押し下げることで、エスカレータの駆動を停止させることができる。このため、スイッチの操作時に人がかがんで操作する必要がなく、年配者等でも無理な体勢を要することなく容易に操作することができる。このため、緊急事態発生時の即時対応性及び操作性を向上できる。また、スイッチの操作者の操作動作が大きくなるので、周囲の人から幼児等のいたずらを容易に発見でき、いたずら防止効果を向上できる。
【図面の簡単な説明】
【００１３】
【図１】本発明に係る実施の形態のエスカレータ非常停止装置を適用するエスカレータの１例を示す概略断面図である。
【図２】本発明に係る実施の形態のエスカレータ非常停止装置の全体構成を示す図である。
【図３】本発明に係る実施の形態のエスカレータ非常停止装置を構成する操作部周辺を示す斜視図である。
【図４】図３の操作部を乗降口側から見た図である。
【図５】図４の操作部を含むスカートガード内側部分を示す概略断面図である。
【図６】図４の操作部を構成する足先挿入口に足先を挿入する様子を示す図である。
【図７】従来から考えられているエスカレータ非常停止装置の操作部周辺を示す図４に対応する図である。
【図８】本発明に係る実施の形態のエスカレータ非常停止装置の別例を示す、図５に対応する図である。
【図９】図８のエスカレータ非常停止装置で足先で押し下げ動作スイッチを押し下げる様子を示す図である。
【発明を実施するための形態】
【００１４】
以下において、図面を用いて本発明に係る実施の形態につき詳細に説明する。図１から図６は、本発明の実施の形態の１例を示している。図１に示すように、本実施の形態のエスカレータ非常停止装置を適用するエスカレータは、例えば建物内に収容され、建物内の上側階床と下側階床とにかけ渡すようにトラス１０が設けられ、トラス１０に設けられた移送手段１２により複数の踏段１４を移動自在としている。なお、エスカレータは、屋外に設けられたものでもよい。
【００１５】
移送手段１２は、駆動機構１６と、エスカレータ駆動装置１８とを含む。駆動機構１６は、チェーン２０とスプロケット２２，２４とを有する動力伝達機構を含む。すなわち、複数の踏段１４は、各踏段１４に支持された複数のステップ軸を無端状のチェーン２０により連結されている。エスカレータ駆動装置１８はモータを含み、駆動によりチェーン２０が駆動され、踏段１４を循環させる。このために上側、下側の２のスプロケット２２，２４の間にチェーン２０がかけ渡されている。図示の例では、エスカレータは、下降用であり、図１に矢印αで示す方向に複数の踏段１４を循環させる。なお、エスカレータは上昇用とした場合でも本実施の形態は適用できる。また、エスカレータの踏段１４の左右方向（図１、２の表裏方向）両側に欄干２６が立設するように設けられている。図２に示すように、欄干２６を構成する支持壁部２８の周囲に移動手すり２５が設けられており、移動手すり２５も、踏段１４（図１）の循環に応じて循環する。欄干２６下側には駆動機構１６（図１）を覆う等のためのスカートガード３０，３１が設けられている。
【００１６】
また、エスカレータの踏段１４の左右両側の少なくとも片側に設けられた欄干２６下部で、降り場または乗場である乗降口３２周辺部に設けられた２のスカートガード３１のそれぞれの壁部周辺部に、エスカレータ非常停止装置（以下、単に「非常停止装置」という場合がある。）３４を構成する操作部３６が設けられている。すなわち、非常停止装置３４は、操作部３６と、制御部であるコントローラ３８と、上記のエスカレータ駆動装置１８とを備える。図３に示すように、操作部３６は、エスカレータの左右片側（図３の左側）のスカートガード３１であって、踏段１４と乗降口３２側の櫛歯４０とから外れた乗降口３２付近のスカートガード３１と、スカートガード３１の裏側の裏側空間４２（図５）とに設けられている。
【００１７】
より詳しくは、図４に示すように、操作部３６は、スカートガード３１の壁部に形成され、人の足先を挿入可能な足先挿入口４４と、足先挿入口４４の周辺部である上端部に揺動可能に支持されたカバー４６と、足先挿入口４４の下側に設けられた押し下げ動作スイッチ４８とを含む。
【００１８】
図２に示すように、非常停止装置３４を構成するコントローラ３８は、エスカレータの通常の駆動状態を制御する駆動制御部５０と、停止指示信号である非常停止信号が押し下げ動作スイッチ４８（図４）から入力された場合に、エスカレータ駆動装置１８の駆動を停止させ、エスカレータの動作を停止させる駆動停止手段である駆動停止部５２とを有する。なお、図４（後述する図５〜９も同様とする。）では、図３の場合に対し操作部３６が、左右の欄干２６の異なる側に設けられたように示しているが、実際は左右の片側のみに操作部３６が設けられている。操作部３６は左右の欄干２６の任意の側に設けることができる。また、エスカレータの上側、下側の乗降口３２の片側（例えば、降り場側）のみに操作部３６を設けることができる。
【００１９】
図４に示すように足先挿入口４４は、スカートガード３１の壁部に形成された矩形状等の開口部５４の上側部分により構成されている。すなわち、開口部５４の上側部分は略平板状のカバー４６により塞がれており、開口部５４の下側部分に押し下げ動作スイッチ４８を構成する変位部材である変位ブロック５６の上部が露出している。開口部５４のうち、変位ブロック５６の上側、すなわち変位ブロック５６の上端縁でその下端が規定される部分により足先挿入口４４が構成されている。足先挿入口４４の下端と床面との間の上下方向の高さＨは、例えば５〜２０ｃｍである。また、足先挿入口４４の横方向の幅Ｗは、例えば１０〜２０ｃｍである。
【００２０】
図５に示すように、カバー４６は、スカートガード３１の壁部において、足先挿入口４４の上端部にその上端部に設けられた水平方向の軸を中心とする揺動可能に支持されている。通常時には、重力の作用により、図５の実線のように垂れ下がっており、その表側面が乗降口３２側に向いている。カバー４６は、例えば樹脂等により構成される透明カバーである。
【００２１】
なお、足先挿入口４４の開口周辺部の壁部裏側に、カバーの少なくとも一部をスカートガード３１裏側への脱落可能に係止して支持することで、足先挿入口４４の周辺部にスカートガード３１裏側への脱落可能にカバーを支持することもできる。
【００２２】
また、押し下げ動作スイッチ４８は、スカートガード３１壁部の裏側の裏側空間４２内で上下方向に配置されたシリンダ内にその下側部分が配置され、上下変位可能に設けられた変位ブロック５６と、変位ブロック５６の下側に設けられ、変位ブロック５６に押し上げる方向の付勢力を付与する付勢部材であるバネ５８と、変位ブロック５６の下側に、変位ブロック５６と離隔するように設けられたスイッチ本体６０とを含む。スイッチ本体６０は、押しボタンスイッチまたはリミットスイッチ等であり、上端部に設けられた押圧部が押されることにより、停止指示信号であるスイッチ押圧信号をコントローラ３８（図２）へ出力する。すなわち、バネ５８の付勢力に抗して変位ブロック５６が押し下げられた場合に変位ブロック５６の下部、またはこの下部に固定した結合部材により、スイッチ本体６０の押圧部が下方に押圧されると、スイッチ本体６０によりスイッチ押圧信号がコントローラ３８へ出力される。
【００２３】
また、図４に示すように、変位ブロック５６の側面で開口部５４の下側に露出する部分と、足先挿入口４４の周辺部とに下側に向いた矢印Ｐ，Ｑを表示している。この表示は、非常停止装置３４の操作時に、足先を挿入し、押し下げることを促すためのものであり、好ましくは、そのための操作の説明文（図示せず）をこの表示の付近に設ける。また、好ましくは、変位ブロック５６の側面で開口部５４の下側に露出する部分を赤地等の目立つ色で表示する。また、図４に示すように、足先挿入口４４の上部に靴の図を表示することが、足先による操作を促すために好ましい。
【００２４】
このようなエスカレータ非常停止装置３４によれば、人がエスカレータの踏段１４または踏段１４付近で倒れる等の緊急事態発生時に、その緊急事態の発見者が図５、図６に示すように、足先挿入口４４に足先をカバー４６を押しながら挿入し、その挿入した足先で押し下げ動作スイッチ４８の変位ブロック５６を押し下げ、変位ブロック５６によりスイッチ本体６０を動作させることで、エスカレータの駆動を停止させることができる。この場合、スイッチ本体６０から停止指示信号がコントローラ３８（図２）へ出力され、コントローラ３８の駆動停止部５２がエスカレータ駆動装置１８の駆動を停止させる。このため、押し下げ動作スイッチ４８の操作時に人がかがんで操作する必要がなく、年配者等でも無理な体勢を要することなく容易に操作することができる。このため、緊急事態発生時の即時対応性及び操作性をより向上できる。
【００２５】
また、押し下げ動作スイッチ４８を操作するスイッチ操作者の操作時には、足先を足先挿入口４４に挿入する動作と、挿入した足先を押し下げる動作との２動作が必要となり、操作時の操作動作が大きくなるので、周囲の人から幼児等のいたずらを容易に発見でき、いたずら防止効果を向上できる。この結果、緊急事態発生時の即時対応性及び操作性を向上できるとともに、いたずら防止効果を向上できる。また、スイッチ操作は、スイッチ操作者が足先でスイッチを動作させる場合に限定するものではなく、足の不自由な人が持つ杖等でも容易に押し下げ動作スイッチ４８を押し下げて、動作させることができる。
【００２６】
また、カバー４６は、足先挿入口４４の上端部に、その上端部を中心とする揺動可能に支持されているので、足先でカバー４６を押した場合でもカバー４６が脱落することがなく、しかもカバー４６は容易に揺動させることができるので、押し下げ動作スイッチ４８の操作がより容易に行える。
【００２７】
これに対して、図７は、本発明から外れる、従来から考えられている非常停止装置である非常停止ボタンの１例を示している。図７の例では、エスカレータの乗降口３２付近のスカートガード３１に非常停止ボタン６２が設けられている。また、非常停止ボタン６２の上側に表示された矢印により、非常停止ボタン６２の位置を示されている。ただし、非常停止ボタン６２は、手指で押すものであるため、上記の本実施の形態の足先挿入口４４（図４）や変位ブロック５６（図４）と比べてかなり小さいものとなる。このため、非常停止ボタン６２の操作時の動作が分かりにくく、いたずら動作が発見しにくくなるので、いたずら防止効果を図る面から改良の余地がある。また、非常停止ボタン６２は低い位置にあるため、緊急事態発生時の即時対応性及び操作性を向上する面からも改良の余地がある。上記の本実施の形態によれば、このような不都合をいずれも解消できる。
【００２８】
また、上記で説明したように、本実施の形態において、足先挿入口４４の周辺部にスカートガード３１裏側への脱落可能にカバーを支持することもでき、その場合には、足先でカバーを押してカバーをスカートガード３１裏側の裏側空間４２へ脱落させつつ、足先挿入口４４に足先を挿入した状態で、足先で押し下げ動作スイッチ４８を動作させることができる。また、上記ではカバー４６を設けた場合を説明したが、カバー４６を省略することもできる。この場合には、即時対応性及び操作性がより向上する。ただし、この場合には、カバー４６がないことでスカートガード３１裏側への異物が侵入しやすくなるので、これを防止する面からはカバー４６を設けることが好ましい。
【００２９】
次に、図８，９は、本発明に係る実施の形態のエスカレータ非常停止装置の別例を示しており、図８は、図５に対応する図であり、図９は、図８のエスカレータ非常停止装置で足先で押し下げ動作スイッチを押し下げる様子を示す図である。
【００３０】
図８に示す実施形態では、乗降口３２周辺のスカートガード３１の壁部に設けられた足先挿入口４４の上側にカバー４６を揺動可能に支持するとともに、カバー４６の下側で、壁部裏側の裏側空間４２内に揺動レバー６４が設けられている。揺動レバー６４は、平板状の下向き板部６６と、水平方向に向いた平板状の横板部６８との２の板部６６，６８を略直交する方向に連結することにより、断面略Ｌ字形に形成している。また、板部６６，６８同士の連結部で水平方向の軸を中心とする揺動可能に、壁部に対し固定した部分に支持されている。このような揺動レバー６４は自由状態で図８のように下向き板部６６が下方に向いており、横板部６８が略水平方向に向いている。このように向きを維持するためにバネ等の付勢部を下向き板部６６の図８の左側に設けて、付勢部により下向き板部６６を水平方向に付勢するとともに、図示しないストッパで下向き板部６６の動きを規制することもできる。また、裏側空間４２の奥側にスイッチ本体６０を設けて、図９に示すように、下向き板部６６が奥側に揺動した場合にスイッチ本体６０の押圧部が押圧され、停止指示信号であるスイッチ押圧信号がコントローラ３８（図２参照）へ向けて出力されるようにしている。また、上記の揺動レバー６４とスイッチ本体６０とにより、押し下げ動作スイッチ７０が構成されている。
【００３１】
このような図８，９の実施形態の非常停止装置を操作する場合、例えば、図９に示すように、エスカレータでの緊急事態を発見した発見者が、足先挿入口４４に足先をカバー４６を押しながら挿入し、その挿入した足先で押し下げ動作スイッチ４８の揺動レバー６４を構成する横板部６８を押し下げ、下向き板部６６によりスイッチ本体６０を押圧し、動作させることで、エスカレータの駆動を停止させることができる。この場合、スイッチ本体６０からスイッチ押圧信号がコントローラ３８（図２参照）へ出力され、コントローラ３８の駆動停止部５２（図２参照）がエスカレータ駆動装置１８（図３参照）の駆動を停止させる。このような実施形態の場合でも、緊急事態発生時の即時対応性及び操作性を向上できるとともに、いたずら防止効果を向上できる。その他の構成及び作用は、上記の図１〜図６の実施の形態と同様である。
【００３２】
なお、図示は省略するが、押し下げ動作スイッチは、上記の各実施形態に限定するものではなく、例えば、棒により構成されるレバーや、固定部に揺動可能に支持された板部等により構成することもできる。すなわち押し下げ動作スイッチは押し下げられることで停止指示信号を出力する構成であればよい。また、上記の各実施形態で、エスカレータ駆動装置を非常停止装置により停止させた場合に、警告音、アナウンス等を発生させたり、警告灯を点灯または点滅させる等の警告を発生させることもできる。
【符号の説明】
【００３３】
１０  トラス、１２  移送手段、１４  踏段、１６  駆動機構、１８  エスカレータ駆動装置、２０  チェーン、２２，２４  スプロケット、２５  移動手すり、２６  欄干、２８  支持壁部、３０，３１  スカートガード、３２  乗降口、３４  エスカレータ非常停止装置、３６  操作部、３８  コントローラ、４０  櫛歯、４２  裏側空間、４４  足先挿入口、４６  カバー、４８  押し下げ動作スイッチ、５０  駆動制御部、５２  駆動停止部、５４  開口部、５６  変位ブロック、５８  バネ、６０  スイッチ本体、６２  非常停止ボタン、６４  揺動レバー、６６  下向き板部、６８  横板部、７０  押し下げ動作スイッチ。
【図１】
2012153524.tif 000003
【図２】
2012153524.tif 000004
【図３】
2012153524.tif 000005
【図４】
2012153524.tif 000006
【図５】
2012153524.tif 000007
【図６】
2012153524.tif 000008
【図７】
2012153524.tif 000009
【図８】
2012153524.tif 000010
【図９】
2012153524.tif 000011